【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
グラフィックレンダリングシステムにおける、オブジェクトグループを、複数の受信したオブジェクトから形成するための方法であって、
前記グラフィックレンダリングシステムのマネージングモジュールが、前記受信したオブジェクトを記述するデータを少なくとも一つの検出スキームへ送信する工程であって、各検出スキームは、優先度及び関連づけられたオブジェクトグループタイプとを有し、前記受信したオブジェクトが前記関連づけられたオブジェクトグループタイプのオブジェクトグループの一部を形成するかどうかを検出するように動作する工程と、
前記マネージングモジュールが、前記少なくとも一つの検出スキームから、前記受信したオブジェクトが前記オブジェクトグループの一部を形成するかどうかの通知を受信する工程と、
前記マネージングモジュールが、１以上の前記オブジェクトグループが、完全に形成されたかどうかを決定する工程であって、少なくとも部分的に形成されたオブジェクトグループがリストを形成する工程と、
前記マネージングモジュールが、完全に形成されたオブジェクトグループを前記優先度に基づいてレンダリングのために出力する工程と
を、前記受信したオブジェクトのそれぞれについて備えることを特徴とする方法。
【請求項２】
前記完全に形成されたオブジェクトグループが、最も優先度の高い前記検出スキームと関連づけられたタイプの前記リスト内のオブジェクトグループである場合に、前記出力する工程では前記完全に形成されたオブジェクトグループが出力されることを特徴とする請求項１に記載の方法。
【請求項３】
前記受信したオブジェクトは、関連するオブジェクトグループタイプを有する検出スキームへ送信され、前記受信したオブジェクトは、前記関連づけられたオブジェクトグループタイプのオブジェクトグループの潜在的な構成要素であり、前記検出スキームは前記リスト内のオブジェクトグループを有することを特徴とする請求項１に記載の方法。
【請求項４】
前記マネージングモジュールが、前記オブジェクトグループの部分を形成しない受信したオブジェクトをレンダリングのために出力する工程をさらに備えることを特徴とする請求項１に記載の方法。
【請求項５】
前記マネージングモジュールが、前記完全に形成されたオブジェクトグループのオブジェクトが少なくとも１つ出力されている場合に、出力されていない１以上のオブジェクトグループの部分を形成する以前に受信したオブジェクトをレンダリングするために出力する工程をさらに備えることを特徴とする請求項１に記載の方法。
【請求項６】
前記以前に受信したオブジェクトが部分を形成するオブジェクトグループのタイプと関連づけられた検出スキームの属性に応じて、（i）個別に又は（ii）グループとしてレンダリングするために前記以前に受信したオブジェクトが出力されることを特徴とする請求項５に記載の方法。
【請求項７】
複数の受信オブジェクトからオブジェクトグループを形成するグラフィックレンダリングシステムであって、
複数の検出スキームであって、各検出スキームが優先度及び関連づけられたオブジェクトグループタイプを有し、前記関連づけられたオブジェクトグループタイプのオブジェクトグループの部分を形成するオブジェクトであるかを検出するように動作する複数の検出スキームと、
受信したオブジェクトを記述するデータを少なくとも一つの検出スキームへ送信し、前記少なくとも一つの検出スキームから、前記受信されたオブジェクトが前記オブジェクトグループの一部を形成するかどうかの通知を受信し、少なくとも部分的に形成されたオブジェクトグループがリストを形成する場合に１以上の前記オブジェクトグループが完全に形成されたかどうかを決定し、前記優先度に基づいて完全に形成されたオブジェクトグループをレンダリングモジュールへ送信するためのマネージングモジュールと
を備えることを特徴とするグラフィックレンダリングシステム。
【請求項８】
前記完全に形成されたオブジェクトグループが、最も優先度の高い前記検出スキームと関連づけられたタイプの前記リスト内のオブジェクトグループである場合に、前記マネージングモジュールは、前記完全に形成されたオブジェクトグループを前記レンダリングモジュールへ送信することを特徴とする請求項７に記載のグラフィックレンダリングシステム。
【請求項９】
前記受信したオブジェクトが、関連するオブジェクトグループタイプを有する検出スキームへ送信され、前記受信したオブジェクトが、前記関連づけられたオブジェクトグループタイプのオブジェクトグループの潜在的なメンバーであり、検出スキームが前記リスト内のオブジェクトグループを有することを特徴とする請求項７に記載のグラフィックレンダリングシステム。
【請求項１０】
前記マネージングモジュールはさらに、前記オブジェクトグループの部分を形成しない受信したオブジェクトを前記レンダリングモジュールへ送信することを特徴とする請求項７に記載のグラフィックレンダリングシステム。
【請求項１１】
前記マネージングモジュールは、以前に受信したオブジェクトを前記レンダリングモジュールへ送信し、前記以前に受信したオブジェクトはレンダリングされていない１以上のオブジェクトグループの部分を形成し、前記完全に形成されたオブジェクトグループの少なくとも１つはレンダリングされていることを特徴とする請求項７に記載のグラフィックレンダリングシステム。
【請求項１２】
前記以前に受信したオブジェクトが一部を形成するオブジェクトグループのタイプと関連づけられた検出スキームの属性に応じて、前記以前に受信されたオブジェクトは（i）個別に又は（ii）グループとして前記レンダリングモジュールへ送信されることを特徴とする請求項１１に記載のグラフィックレンダリングシステム。
【請求項１３】
オブジェクトグループを、複数の受信したオブジェクトから形成するためのコンピュータプログラムを記録したコンピュータで読み取り可能な記憶媒体であって、前記コンピュータプログラムは、コンピュータに、
前記受信したオブジェクトを記述するデータを少なくとも一つの検出スキームへ送信する工程であって、各検出スキームは、優先度と、関連づけられたオブジェクトグループタイプとを有し、前記受信したオブジェクトが、前記関連づけられたオブジェクトグループタイプのオブジェクトグループの一部を形成するかどうかを検出するように動作する工程と、
前記少なくとも一つの検出スキームから、前記受信したオブジェクトが前記オブジェクトグループの一部を形成するかどうかの通知を受信する工程と、
１以上の前記オブジェクトグループが、完全に形成されたかどうかを決定する工程であって、少なくとも部分的に形成されたオブジェクトグループはリストを形成する工程と、
完全に形成されたオブジェクトグループを前記優先度に基づいてレンダリングのために出力する工程と
を、受信したオブジェクトのそれぞれについて実行させることを特徴とする記憶媒体。
【請求項１４】
前記完全に形成されたオブジェクトグループが、最も優先度の高い前記検出スキームと関連づけられたタイプの前記リスト内のオブジェクトグループである場合に、前記出力する工程は、前記完全に形成されたオブジェクトグループを出力することを特徴とする請求項１３に記載の記憶媒体。